(57)【要約】  照明器具であって、点検区画を有するハウジングであって、該点検区画は該ハウジング内の開口を通してアクセス可能である、ハウジングと、光源と、光源に電力供給して該光源を動作させる、点検区画内に配置されている電気部品と、ハウジングに回転可能に接続されているドアであって、該ドアが開口を覆う閉鎖位置と該ドアが該開口を覆わない開放位置との間で回転する、ドアとを含む、照明器具。回転可能な接続部は、ドアから延びている非対称形ピンと、幅Ｗのヒンジ開口を有する、ハウジングに形成されているキャビティとを含む。非対称形ピンは、断面厚さｔ、及び断面高さｈを有する。ドアが、ピンの厚さｔがヒンジ開口の幅Ｗに位置合わせされる取り外し位置にあるときに該ピンがヒンジ開口を通して取り外し可能であるように、幅Ｗは高さｈよりも小さくかつ厚さｔよりも大きい。【選択図】図１
2013519210.tif 000002
【特許請求の範囲】
【請求項１】
照明器具であって、
内部に点検区画を有するハウジングであって、該点検区画は該ハウジング内の開口を通してアクセス可能である、ハウジングと、
光出力を生成する、前記ハウジング内に少なくとも部分的に配置されている光源と、
前記光源に電力供給して該光源を動作させる、前記点検区画内に配置されている電気部品と、
ヒンジアセンブリを介して前記ハウジングに回転可能に接続されているドアであって、該ドアが前記開口を覆う閉鎖位置と該ドアが該開口を覆わない開放位置との間で回転する、ドアと、
を備え、前記ヒンジアセンブリは、
前記ハウジング及び前記ドアのうちの一方から延びている非対称形ピンと、
幅Ｗのヒンジ開口を有する、前記ハウジング及び前記ドアのうちの他方に形成されているキャビティと、
を含み、前記非対称形ピンは、一方向に断面厚さｔ、及び該一方向に対して直交する方向に断面高さｈを有しており、前記ドアが、前記ピンの厚さｔが前記ヒンジ開口の幅Ｗに位置合わせされる取り外し位置にあるときに、該ピンが前記ヒンジ開口を通して前記キャビティから取り外し可能であるように、幅Ｗは高さｈよりも小さくかつ厚さｔよりも大きい、照明器具。
【請求項２】
前記ピンは前記ドアから延びており、前記キャビティは前記ハウジング内に形成されている、請求項１に記載の照明器具。
【請求項３】
前記ピンは、平坦面が形成されている円形の外面を有する、請求項１に記載の照明器具。
【請求項４】
前記キャビティは、前記ピンの前記円形の外面の曲率半径と合致する曲率半径を有する丸みを帯びた表面において終端している、請求項３に記載の照明器具。
【請求項５】
前記開放位置は前記閉鎖位置から少なくとも９０度にある、請求項１に記載の照明器具。
【請求項６】
前記取り外し位置は前記開放位置と前記閉鎖位置との間にある、請求項５に記載の照明器具。
【請求項７】
前記取り外し位置は前記開放位置から少なくとも３０度離れている、請求項６に記載の照明器具。
【請求項８】
前記取り外し位置は前記開放位置と前記閉鎖位置との間にない、請求項５に記載の照明器具。
【請求項９】
照明器具であって、
内部に点検区画を有するハウジングであって、該点検区画は該ハウジング内の開口を通してアクセス可能である、ハウジングと、
光出力を生成する、前記ハウジング内に少なくとも部分的に配置されている光源と、
ヒンジアセンブリを介して前記ハウジングに回転可能に接続されているドアであって、該ドアが前記開口を覆う閉鎖位置と該ドアが該開口を覆わない開放位置との間で回転する、ドアと、
前記ドアに取り付けられているとともに該ドアが前記閉鎖位置にあるときに前記点検区画内に配置されている、前記光源に電力供給して該光源を動作させる電気部品と、
を備え、前記ヒンジアセンブリは、
前記ハウジング及び前記ドアのうちの一方から延びている非対称形ピンと、
幅Ｗのヒンジ開口を有する、前記ハウジング及び前記ドアのうちの他方に形成されているキャビティと、
を含み、前記非対称形ピンは、一方向に断面厚さｔ、及び該一方向に対して直交する方向に断面高さｈを有しており、前記ドアが、前記ピンの厚さｔが前記ヒンジ開口の幅Ｗに位置合わせされる取り外し位置にあるときに、該ピンが前記ヒンジ開口を通して前記キャビティから取り外し可能であるように、幅Ｗは高さｈよりも小さくかつ厚さｔよりも大きい、照明器具。
【請求項１０】
前記ピンは前記ドアから延びており、前記キャビティは前記ハウジング内に形成されている、請求項９に記載の照明器具。
【請求項１１】
前記ピンは、平坦面が形成されている円形の外面を有する、請求項９に記載の照明器具。
【請求項１２】
前記キャビティは、前記ピンの前記円形の外面の曲率半径と合致する曲率半径を有する丸みを帯びた表面において終端している、請求項１１に記載の照明器具。
【請求項１３】
前記開放位置は前記閉鎖位置から少なくとも９０度にある、請求項９に記載の照明器具。
【請求項１４】
前記取り外し位置は前記開放位置と前記閉鎖位置との間にある、請求項１３に記載の照明器具。
【請求項１５】
前記取り外し位置は前記開放位置から少なくとも３０度離れている、請求項１４に記載の照明器具。
【請求項１６】
前記取り外し位置は前記開放位置と前記閉鎖位置との間にない、請求項１３に記載の照明器具。
【発明の詳細な説明】
【技術分野】
【０００１】
本発明は、ドアヒンジに関し、より詳細には、ドアのドア枠への選択的な取り外しを、偶発的な取り外れを防ぎながら可能にするドアヒンジ設計に関する。
【０００２】
［関連出願］
本出願は、２０１０年２月２日に提出された米国仮特許出願第６１／３００，７６７号の利益を主張し、該出願は参照により本明細書に援用される。
【背景技術】
【０００３】
頭上高くに据え付けられている従来の街路照明器具（street  luminaires：街路灯）は、路上からそれらに最もアクセスしやすい下側から点検可能（serviceable）であることが好ましい。照明器具のハウジング内の点検アクセスは、光源自体と、光源に電力供給して光源を動作させる周辺（supporting）電気部品を含む点検区画（service  compartment）へのアクセスを含む。点検区画は通常、密閉されており、取り外し可能なドアを通してアクセス可能である。光源及び取り外し可能なドアの双方は下向きに面しているため、はしご又はリフトバスケット上に立っている点検作業員が、照明器具の下に位置したまま光源及び周辺電気部品を設置し、その後それらに点検することができる。
【０００４】
点検区画のドアをハウジングに取り外し可能に取り付けることが可能な構成が幾つかある。ドアをハウジングに蝶着することができるため、ドアはラッチ解除されると重力下で垂下して点検区画をあらわにする。この構成は、点検区画への迅速かつ単純なアクセスを提供するため軽微な作業の場合には理想的である。唯一必要な工具はラッチを操作するための工具であり、ラッチは手動で動作するように構成することができ、これは、ドアを操作するのに工具は一切必要ないことを意味する。しかしながら、大規模な作業の場合、ハウジングからぶら下がるドアは、作業を滞らせ、作業者がドアにぶつかることによってそのドアを破損するリスクを高める可能性がある。加えて、懸吊機構が適切に設計されていない場合又は開放したドアが過度の力を受ける場合、ドアは落下する可能性がある。
【０００５】
代替的には、ドアはハウジングから全体的に取り外し可能とすることができ、それにより固定用ねじ又はボルトを取り外すことによって、ドアがハウジングから完全に分離することを可能にする。ドアの完全な取り外しは、単にドアをヒンジで回転させて開放するよりも長く時間がかかり、作業者が、ドア及び任意の固定用ねじ／ボルトがハウジングから落下するとそれらを注意深く収集する必要があるため、より面倒である。しかしながら、ドアが取り外されると点検区画へのアクセスは妨げられることがない。点検作業が完了すると、ドアを取り付け直す必要がある。この構成の複雑さに起因して、ドアの取り外し及び再設置は点検作業自体よりも時間がかかる可能性があるため、この構成は軽微な点検作業には理想的ではない。
【発明の概要】
【発明が解決しようとする課題】
【０００６】
ドアを完全に取り外す必要なく点検区画への容易なアクセスを可能にするだけでなく、妨げられないアクセスが必要とされる状況におけるドアの簡便な取り外しを更に可能にする照明器具の点検区画のドア設計が必要とされている。さらに、工具を必要とすることなくドアの取り外しが可能であることが望ましく、ドアが不安定に取り付けられているため点検作業中に重力下でドアが落下するリスクがないことが望ましい。
【課題を解決するための手段】
【０００７】
上述の問題及び必要性は、照明器具であって、内部に点検区画を有するハウジングであって、該点検区画は該ハウジング内の開口を通してアクセス可能である、ハウジングと、光出力を生成する、前記ハウジング内に少なくとも部分的に配置されている光源と、前記光源に電力供給して該光源を動作させる、前記点検区画内に配置されている電気部品と、ヒンジアセンブリを介して前記ハウジングに回転可能に接続されているドアであって、該ドアが前記開口を覆う閉鎖位置と該ドアが該開口を覆わない開放位置との間で回転する、ドアと、を含む照明器具によって対応される。前記ヒンジアセンブリは、前記ハウジング及び前記ドアのうちの一方から延びている非対称形ピンと、幅Ｗのヒンジ開口を有する、前記ハウジング及び前記ドアのうちの他方に形成されているキャビティとを含み、前記非対称形ピンは、一方向に断面厚さｔ、及び該一方向に対して直交する方向に断面高さｈを有しており、前記ドアが、前記ピンの厚さｔが前記ヒンジ開口の幅Ｗに位置合わせされる取り外し位置にあるときに、該ピンが前記ヒンジ開口を通して前記キャビティから取り外し可能であるように、幅Ｗは高さｈよりも小さくかつ厚さｔよりも大きい。
【０００８】
代替的には、照明器具は、内部に点検区画を有するハウジングであって、該点検区画は該ハウジング内の開口を通してアクセス可能である、ハウジングと、光出力を生成する、前記ハウジング内に少なくとも部分的に配置されている光源と、ヒンジアセンブリを介して前記ハウジングに回転可能に接続されているドアであって、該ドアが前記開口を覆う閉鎖位置と該ドアが該開口を覆わない開放位置との間で回転する、ドアと、前記ドアに取り付けられているとともに該ドアが前記閉鎖位置にあるときに前記点検区画内に配置されている、前記光源に電力供給して該光源を動作させる電気部品と、を含む。前記ヒンジアセンブリは、前記ハウジング及び前記ドアのうちの一方から延びている非対称形ピンと、幅Ｗのヒンジ開口を有する、前記ハウジング及び前記ドアのうちの他方に形成されているキャビティとを含み、前記非対称形ピンは、一方向に断面厚さｔ、及び該一方向に対して直交する方向に断面高さｈを有しており、前記ドアが、前記ピンの厚さｔが前記ヒンジ開口の幅Ｗに位置合わせされる取り外し位置にあるときに、該ピンが前記ヒンジ開口を通して前記キャビティから取り外し可能であるように、幅Ｗは高さｈよりも小さくかつ厚さｔよりも大きい。
【０００９】
本発明の他の目的及び特徴は、本明細書と、特許請求の範囲と、添付図面とを検討することによって明らかになるであろう。
【図面の簡単な説明】
【００１０】
【図１】回転式かつ取り外し可能なドアが部分的に開放した位置にある状態の照明器具の部分切欠き側面図である。
【図２】回転式かつ取り外し可能なドアが部分的に開放した位置にある状態の照明器具の拡大断面図を有する側面図である。
【図３】ドアが開放位置にある状態のヒンジアセンブリを示す照明器具の部分断面図である。
【図４】ドアが開放位置にある状態のヒンジアセンブリを示す照明器具の部分立面断面図である。
【図５】ドアが開放位置にある状態のヒンジアセンブリを示す照明器具の部分立面断面図である。
【図６】ドアが開放位置にある状態のヒンジアセンブリを示す照明器具の部分立面断面図である。
【図７】ドアがドア取り外しの中間位置にある状態のヒンジアセンブリを示す照明器具の部分立面断面図である。
【図８】ドアがハウジングから取り外されている状態の照明器具の部分立面断面図である。
【図９】ドアがハウジングから取り外されている状態の照明器具の側面図である。
【図１０】電気部品がドアに固定されている状態の照明器具の代替的な実施形態の部分切欠き側面図である。
【発明を実施するための形態】
【００１１】
本発明の照明器具１０が、図１〜図９に示されており、（第１の部分１４及び第２の部分１６を有する）ハウジング１２と、光源１８と、光源１８に電力供給して光源１８を動作させる周辺電気部品２０とを備える。
【００１２】
ハウジングの第１の部分１４は、下向きに面した光出力開口２１を有して凹状である。光源１８は、ハウジングの第１の部分１４内に少なくとも部分的に配置されており、その光出力を、光出力開口２１を通して又は光出力開口２１から下方向に方向付ける。オプションのレンズ又は透明カバー（図示せず）を、光出力開口２１端部を密閉して光源１８を保護するために備えることができる。
【００１３】
ハウジングの第２の部分１６は、周辺電気部品２０及び任意の他の点検可能な部品が配置されている点検区画２２を形成する。点検区画２２は、ドア２４によって覆われる点検開口２３を含む。ドア２４は、ヒンジアセンブリ２６によってハウジング１２に回転式かつ取り外し可能に接続されている。ドア２４の蝶着されていない端部は、ドア２４をその閉鎖位置に保つようにラッチ２８によってハウジング１２に取り外し可能に取着する。ラッチ２８は、ボルト又はねじとすることができるが、好ましくは手動で（工具を用いることなく）操作することができる摺動ラッチ機構又は回転ラッチ機構である。
【００１４】
ヒンジアセンブリ２６は、図２〜図８においてより良く示されている。ドア２４は、図６において最もよく示されており、直径又は高さｈを有する円形の外面３１を有する円形ピン３０において終端している。しかしながら、ピン３０は、円形の外面３１の１つの側面へと形成されている平坦面３２を含むため、図４において最も良く示されているように、低減した直径又は厚さｔを一方向に有している。ピン３０を収納するのに足りるサイズのキャビティ３４が、ハウジング１２内に形成されている。キャビティ３４は、低減した幅Ｗのヒンジ開口３６を有しており、図５において最も良く示されているように、丸みを帯びたヒンジ表面３８によって終端している。
【００１５】
ヒンジ開口３６の幅Ｗは、ピン３０の直径／高さｈよりも小さいが、低減した直径／厚さｔよりも大きい。したがって、ピン３０は、ヒンジ開口３６を通り抜けないため、ほとんどの回転位置においてキャビティ３４の内側に維持される（図５を参照のこと）。好ましくは、円滑な動作のために、ピンの円形の外面３１の曲率半径は、丸みを帯びたヒンジ表面３８の曲率半径と合致する。ピン３０の低減した厚さｔがヒンジ開口３６の幅ｗと位置合わせされると（すなわち、ドア取り外し位置を画定する角度の範囲において）、ピン３０はヒンジ開口３６を通り抜けて、ハウジング１２から取り外すことができる。したがって、ピン３０の平坦面３２は、好ましくは、ドアが（点検開口２３を覆いながら）閉鎖されているときに、並びにドアが（垂直方向にぶら下がりながら、図３〜図６を参照のこと）その開放位置にあるとき、及び中間のドア取り外し位置を除く任意の他の位置にあるときに、ピン３０がキャビティ３４内に維持されるように配向されている。ドアは、中間のドア取り外し位置（例えば、図７及び図８に示されているように、好ましくはドアの垂直方向の開放位置から約３０度以上、そのためドアはその開放した垂直方向位置では落下しない）、又はその代わりに開放位置を越えた位置に位置決めされると、ドアはハウジング１２から取り外され、そしてハウジング１２に接続し直すことができる。この理由は、ピン３０の平坦面３２が、ピン３０が開口３６を通り抜けるように、開口３６を形成している表面のうちの１つと概ね位置合わせされるためである。
【００１６】
上述の構成を用いて、ラッチ２８を操作すること及びドア２４が重力下で垂下することを可能にすることによって、点検区画２２に迅速にかつ好都合にアクセスすることができる。より大規模なアクセスが所望である場合、ドアを（ピンの低減した厚さｔを開口の幅Ｗと位置合わせするために）ドア取り外し位置まで回転させることができ、それによって、ピン３０がヒンジ開口３６を通過することができ、その結果ドア２４をハウジング１２から取り外すことができる。１つのヒンジアセンブリ２６しか図示及び記述されていないが、複数のヒンジアセンブリ（すなわち複数のキャビティ３４と係合する複数のピン３０）を用いて、ドア２４をハウジング１２に取り外し可能に固定することができることに留意すべきである。
【００１７】
図１０は、本発明の代替的な実施形態を示しており、ここでは電気部品２０がドア２４に取り付けられている。この構成は電気部品２０へのより容易なアクセスを可能にするだけではなく、電気部品が故障した場合にそれらを交換するのにより好都合な構成を可能にする。電気部品２０を交換するには、上述のように取り外し可能なドア２４を単に開放して再設置するだけでよい。
【００１８】
本発明は上述され本明細書に示されている実施形態（複数の場合もあり）に限定されるのではなく、添付の特許請求の範囲の範囲内に入るあらゆる変形を包含することを理解されたい。例えば、本明細書内での本発明への言及は、いかなる特許請求項の範囲又は特許請求の範囲の用語も限定することを意図するものではなく、その代わりに特許請求項のうちの１つ又は複数によって網羅することができる１つ又は複数の特徴に対する言及を行うにすぎない。１つの側面に形成された平坦面を有する概ね円形の断面を有するピン３０が示されているが、ピン３０は、ドアを取り外すことができる角度の範囲（すなわちドア取り外し位置）を画定するように、直交方向以外の一方向により大きな断面の直径又は厚さｔを有する任意の非対称形状とすることができる。ドアがピン３０を含むように示されており、ハウジングがキャビティ３４を含むように示されているが、その逆もまた然りとすることができる（すなわち、ハウジングがピン３０を含むことができ、ドアがキャビティ３４を含むことができる）。
【図１】
2013519210.tif 000003
【図２】
2013519210.tif 000004
【図３】
2013519210.tif 000005
【図４】
2013519210.tif 000006
【図５】
2013519210.tif 000007
【図６】
2013519210.tif 000008
【図７】
2013519210.tif 000009
【図８】
2013519210.tif 000010
【図９】
2013519210.tif 000011
【図１０】
2013519210.tif 000012
【国際調査報告】
2013519210.tif 000013